(57)【要約】【課題】ガスバーナーを容易に取り出し可能にし、使用後の掃除を容易にした卓上型加熱調理器を提供すること。【解決手段】使用に際して底部に水を蓄えるとともに、その内部に、上部を開口とした有底の汁受け９を取り出し自在に備えた、上部を開口とした有底の調理器本体２と、調理器本体２の内部に取り付けたバーナー受け４を介して調理器本体２の内部に配設されるとともに、その基端は調理器本体２の側壁任意の箇所に形成したバーナー挿入用切欠き３に挿入されつつ調理器本体２の外部に延出されたガスバーナー５と、調理器本体２の上部に備えられた網ベース６と、を具備して、網ベース６を、調理器本体２の上部に回動自在に取り付け、調理器本体２に対して網ベース６ｂを回動することで、ガスバーナー５の取り出しを容易にして、掃除の手間を容易にした。【選択図】図１
2011200383.tif 000002
【特許請求の範囲】
【請求項１】
使用に際して底部に水を蓄えることとした、上部を開口とした有底の調理器本体（２）と、
該調理器本体（２）の内部に取り付けたバーナー受け（４）を介して前記調理器本体（２）の内部に配設されるとともに、その基端は、前記調理器本体（２）の側壁任意の箇所に形成したバーナー挿入用切欠き（３）に挿入されつつ調理器本体（２）の外部に延出されたガスバーナー（５）と、
前記調理器本体（２）の上部に備えられた網ベース（６）と、を具備した卓上型加熱調理器であって、
前記網ベース（６）を、前記調理器本体（２）の上部に回動自在に取り付けたことを特徴とする卓上型加熱調理器。
【請求項２】
前記調理器本体（２）は、その内部に、上部を開口とした有底の汁受け（９）を、取り出し自在に備えた、ことを特長とする請求項１に記載の卓上型加熱調理器。
【請求項３】
前記網ベース（６）を、前記調理器本体（２）に対して取り外し自在にしたことを特徴とする請求項１又は請求項２に記載の卓上型加熱調理器。
【発明の詳細な説明】
【技術分野】
【０００１】
本発明は卓上型加熱調理器に係り、より詳しくは、使用後の掃除を容易にした卓上型加熱調理器に関する。
【背景技術】
【０００２】
一般的に、卓上型の加熱調理器は、筐体内にガスバーナーを備えており、このガスバーナーの上方には水槽を配置し、更に、この水槽に網等の調理具を載置して構成されている。
【０００３】
即ち、図１０及び図１１が従来の卓上型加熱調理器を示す図であり、図１０は分解斜視図、図１１は縦断正面構造を示した図であり、図において３１が従来の卓上型加熱調理器である。
【０００４】
そして、従来の卓上型加熱調理器３１は、上方を開口とした箱型形状の調理器本体３２を有しており、この調理器本体３２は、長手方向に沿った側壁に、ガス燃焼用の二次空気供給孔３２０１が多数個形成されている。
【０００５】
また、前記調理器本体３２の長手方向に向いた側壁の一方には、挿入孔３２０２が形成されており、この挿入孔３２０２を介して、前記調理器本体３２の内部には、略Ｕ字状としたガスバーナー３３が配設されている。
【０００６】
更に、この従来の卓上型加熱調理器３１では、水槽を備えており、即ち、図において３４が水槽であり、この水槽３４は、上方を開口とした箱形形状としており、前記調理器本体３２内に係止可能な寸法としている。
【０００７】
そして、この水槽３４は、上端部周縁全域に係止縁部３４０１を備えており、この係止縁部３４０１を前記調理器本体３２の上端部分に載置することで、調理器本体３２内に係止している。
【０００８】
更に、前記水槽３４の長手方向に沿った側壁にはそれぞれ、長孔状の窓部３４０２が形成されており、この窓部３４０２は、水槽３４を調理器本体３２内に係止した際に前記ガスバーナー３３が位置する箇所に対応し、これにより、この窓部３４０２を介して、ガスバーナー３３の炎が矢印に示すようにして、水槽３４の内部に入り込むことを可能にしている。
【０００９】
次に、図において３５は調理具としての網である。即ち、従来の卓上型加熱調理器３１では、肉、野菜等の食材を加熱するための調理具としての網３５を備えており、この網３５は、その周縁部を前記水槽３４の上部に形成した載置部に載置することで、前記水槽３４の上部開口を閉鎖することとしている。
【００１０】
そして、このように構成される従来の卓上型加熱調理器３１では、調理器本体３２の内部に水槽３４を係止し、この水槽３４の上方に網３５を載置し、更に、ガスバーナー３３にガス管（図示せず）を連結し、この状態でガスバーナーに点火するとともに、網３５の上に食材をのせ、これにより、網３５にのせた食材を加熱調理する。
【００１１】
従って、この従来の卓上型加熱調理器３１を用いることにより、家庭等でも簡単に焼肉、鉄板焼等の加熱調理を行うことが可能である。
【先行技術文献】
【特許文献】
【００１２】
【特許文献１】特開２００９−１３１３４６号公報
【発明の概要】
【発明が解決しようとする課題】
【００１３】
ところで、このように構成される従来の卓上型加熱調理器では、使用後に掃除をする際には、ガスバーナーを調理器本体３２から取り外す必要があるが、このとき、前述のように、従来の卓上型加熱調理器では、水槽３４の上端部周縁全域に係止縁部３４０１を備え、この係止縁部３４０１を前記調理器本体３２の上端部分に載置することで水槽３４を調理器本体３２内に係止しているために、ガスバーナー３３の上方に水槽３４が配設されることになり、水槽３４を取り外さなければガスバーナー３３を取り出すことができない構造となっていた。
【００１４】
そのために、従来の卓上型加熱調理器では、使用後の掃除の際にガスバーナー３３を取り外すためには、まず水槽３４を取り外す必要があり、掃除の手間がかかるという問題点があった。
【００１５】
そこで、本発明は、使用後の掃除を容易にした卓上型加熱調理器を提供することを課題としている。
【課題を解決するための手段】
【００１６】
本発明の卓上型加熱調理器は、
使用に際して底部に水を蓄えることとした、上部を開口とした有底の調理器本体と、
該調理器本体の内部に取り付けたバーナー受けを介して前記調理器本体の内部に配設されるとともに、その基端は、前記調理器本体の側壁任意の箇所に形成したバーナー挿入用切欠きに挿入されつつ調理器本体の外部に延出されたガスバーナーと、
前記調理器本体の上部に備えられた網ベースと、を具備した卓上型加熱調理器であって、
前記網ベース６を、前記調理器本体２の上部に回動自在に取り付けたことを特徴としている。
【発明の効果】
【００１７】
本発明の卓上型加熱調理器では、食材を加熱調理するための調理具としての網を載置するための網ベースを、調理器本体の上部に回動自在に取り付けている。
【００１８】
そのために、網ベースを回動して調理器本体に対して開くことで、調理器本体の上部開口の間口を広くすることができ、これによりガスバーナーを取り外すことができるので、使用後の掃除が極めて容易になる。
【図面の簡単な説明】
【００１９】
【図１】本発明の卓上型加熱調理器の実施例の斜視図である。
【図２】本発明の卓上型加熱調理器の実施例における調理器本体を示す斜視図である。
【図３】本発明の卓上型加熱調理器の実施例における網ベースを説明するための斜視図である。
【図４】本発明の卓上型加熱調理器の実施例における網ベースと調理器本体との関係を説明するための図である。
【図５】中開蝶番を説明するための図である。
【図６】本発明の卓上型加熱調理器の実施例における汁受けを示す斜視図である。
【図７】本発明の卓上型加熱調理器の実施例におけるバーナー受けを説明するための図である。
【図８】本発明の卓上型加熱調理器の実施例におけるバーナー受けを説明するための図である。
【図９】本発明の卓上型加熱調理器の実施例の分解斜視図である。
【図１０】従来の卓上型加熱調理器を説明するための図である。
【図１１】従来の卓上型加熱調理器を説明するための図である。
【発明を実施するための形態】
【００２０】
本発明の卓上型加熱調理器では、調理器本体を有しており、使用に際してはこの調理器本体の底部に、水を蓄えることとしている。
【００２１】
そして、この調理器本体は、上部を開口とした有底の形状としており、側壁の任意の箇所には、上端から下方に向けて、バーナー挿入用の切り欠きが形成されている。
【００２２】
また、調理器本体の内部にはガスバーナーが配設されており、このガスバーナーは、調理器本体の側壁に取り付けたバーナー受けに支持されながら、調理器本体の４枚の側壁の内側に沿うようにして、調理器本体の内部に配設されている。
【００２３】
そして、ガスバーナーの基端部分は、調理器本体の側壁任意の箇所に形成したバーナー挿入用切欠きに挿入されつつ、調理器本体の外部に延出され、使用に際してはガス管が連結される。
【００２４】
更に、調理器本体の上部には網ベースが取り付けられており、使用に際しては、この網ベース上に、食材を加熱調理するための調理具としての網等を載置することとしている。
【００２５】
そして、本発明において前記網ベースは、前記調理器本体の上部に回動自在に取り付けており、網ベースを調理器本体の外周側へ回動することで、調理器本体の上部開口の間口を広げ、調理器本体内に配設されたガスバーナーを調理器本体から取り出すことを可能にしている。
【００２６】
ここで、前記調理器本体は、その内部に、上部を開口とした有底の汁受けを、取り外し自在に備え、この汁受けで、調理の過程で発生した網の下方に落下した汁等を受け止めるようにするとよく、これにより、汁によって調理器本体が汚れてしまい掃除が大変になることを防止することができる。
【００２７】
また、網ベースを調理器本体に対して取り外し自在にするとよく、これにより、なお一層ガスバーナーを取り出しやすく出来るとともに、網ベース自体の掃除も容易になる。
【実施例１】
【００２８】
本発明の卓上型加熱調理器（以下単に「加熱調理器」と言う。）の実施例について図面を参照して説明すると、図１は、本実施例の加熱調理器の概略斜視図であり、また、図９は本実施例の加熱調理器の分解斜視図であり、図において１が本実施例の加熱調理器である。
【００２９】
そして、本実施例の加熱調理器１は、調理器本体を有している。即ち、図において２が調理器本体であり、また、図２は調理器本体２を示す斜視図であり、本実施例において前記調理器本体２は、上方を開口とした有底の箱型形状としており、平面視野で長方形とし、使用に際しては底部に水を蓄えることを可能にしている。
【００３０】
また、前記調理器本体２の側壁には、調理器本体２の上端部から下方に向けて、Ｕ字状の切り欠き３を形成しており、この切り欠き３を、バーナー挿入用の切り欠きとし、このバーナー挿入用切り欠き３内に、ガスバーナーの基端部を挿入することとしている。そして、本実施例において前記バーナー挿入用切り欠き３は、調理器本体２の長手方向を形成する側壁の一方の、一端側に形成している。
【００３１】
なお、調理器本体２には更に、図１にも示されるように、長手方向に沿った側壁に、ガス燃焼用の二次空気供給孔が多数個形成されている。
【００３２】
次に、図において５はガスバーナーである。即ち、本実施例において、前記調理器本体２内には、調理器本体２の側壁に沿うような配置で、ガスバーナー５が配設されている。
【００３３】
そして、本実施例において前記ガスバーナー５は、先端部を閉鎖した略ラウンド状としており、調理器本体２の側壁４箇所に取り付けたバーナー受け４に支持されながら、調理器本体２の４枚の側壁に沿うようにして、調理器本体の内部に配設されている。
【００３４】
そして、ガスバーナー５の基端部分は、調理器本体２の側壁に形成した前記バーナー挿入用切欠き３内に挿入されるとともに、更にバーナー挿入用切り欠き３を貫通して、調理器本体２の外部に延出され、使用に際しては、図示しないガス管に連結されることとしている。
【００３５】
ここで、図７は、前記調理器本体２の平面図であり、図において点線で示している部分がガスバーナー、４ａ、４ｂがバーナー受けであり、図に示すように、本実施例においてガスバーナー５は、４個のバーナー受けによって調理器本体２の内周側に支持されている。
【００３６】
そして、前記バーナー受け４は、調理器本体２の長手側においてガスバーナー５を支持する一対個の第１バーナー受け４ａと、調理器本体２の短手側でガスバーナー５を支持する一対個の第２バーナー受け４ｂとで構成され、それぞれが調理器本体２の取り付けられており、これにより、ガスバーナー５を４箇所で支持している。
【００３７】
また、図８に示すように、バーナー受けはそれぞれ、調理器本体２の側壁の内側に取り付けられる取付ベース４０１を有している。
【００３８】
そして、前記第１バーナー受け４ａは、ガスバーナー５を載置するための載置部４０３を、前記取付ベース４０１に連設している。
【００３９】
一方、第２バーナー受けは、この取付ベース４０１に、ガスバーナー５を挟持する一対の挟持片４０２を、間隔を置いて、上方に向けて連設している。そしてこれにより、第２バーナー受け４ａの挟持片４０２でガスバーナー５を挟持するとともに、第１バーナー受けの載置部４０３上にガスバーナー５を載置することで、ガスバーナー５を支持している。
【００４０】
なお、本実施例においては、前記第２バーナー受けに具備している前記一対の挟持片４０２間の距離を、挟持するガスバーナー５の外径よりもわずかに小さい寸法とし、更に、前記一対の挟持片４０２は、ガスバーナー５をその間に挿入した際に、互いに離反する方向へ変形可能な素材としており、これにより、挟持片４０２間にガスバーナーを挿入した場合に、一対の挟持片４０２でガスバーナー５を締め付けるため、ガスバーナー５を固定して、ガスバーナー５のがたつきを防止することが可能である。
【００４１】
また、図８において、一対の挟持片４０２はそれぞれ、先端部を、対向する挟持片と反対側の斜め上方側へ向けて変形しており、これにより、ガスバーナー５の挿入を容易にしている。
【００４２】
次に、図１において６は、食材を加熱調理するための調理具としての網等を載置するための網ベースである。
【００４３】
ここで、前記網ベース６について、図１及び図３を参照して説明すると、本実施例において前記網ベースは、図１に示すように、前記調理器本体２の上部に取り付けることとしており、従って、調理器本体２の形状に合わせて、平面視野で長方形状とした枠状としている。
【００４４】
また、本実施例において前記網ベース６は、図３にも示されるように、長手方向にみた中央部分で分断しており、それぞれが略コ字状とした一対の網ベース片６ａ、６ｂから構成されている。
【００４５】
そして、この網ベース片６ａ、６ｂはそれぞれ、調理器本体２の上端に当接される脚部６０１を有しており、この脚部６０１の上端には上面部６０２が、脚部６０１に直交する内周側に向けて連設されている。
【００４６】
また、網ベースの上面部６０２はそれぞれ、上面部６０２の内周側を、下方側に階段状に１段下げて形成した載置部６０３を有しており、この載置部６０３上に網等の調理具の周縁部分を係止し、それにより調理器本体２の上部に網等を係止することとしている。
【００４７】
更に、本実施例においては、載置部６０３によって、少なくとも、調理器本体２の内部に配設したガスバーナー５の上方部分を閉鎖可能とし、これにより、調理の過程で発生した肉汁等がガスバーナー５の炎の上に落下しないようにしている。
【００４８】
次に、本実施例においては、前記網ベース６ａ、６ｂはそれぞれ、前記調理器本体２の短い側の側壁の上端において、調理器本体２に対して回動自在としており、これにより、網ベース６ｂ、６ｂを調理器本体２の長手方向に見た場合の前後側へ回動して開くことで、調理器本体２の上部開口の間口を広げて、調理器本体２内に配設されたガスバーナー５を調理器本体２から容易に取り出すことを可能にしている。
【００４９】
この網ベースの回動について詳細に説明すると、本実施例においては、蝶番等のヒンジ手段を介して、図４に示すように、前記調理器本体２の短い側の側壁の上部と網ベース６ａ、６ｂを、回動自在に連結している。
【００５０】
そのため、網ベース６ａ、６ｂを調理器本体２の外周側へ回動して開くことによって、網ベース６ａ、６ｂによるガスバーナー５の上方の閉鎖が解除されるため、これにより、ガスバーナー５を容易に調理器本体２から取り出すことが可能となる。
【００５１】
従って、本実施例の加熱調理器１においては、使用後の掃除の際にガスバーナーを取り出す手間が簡単になるという効果がある。
【００５２】
なお、図５は、一般的に市販されている中開蝶番を示す図であり、この中開蝶番は周知のように、互いに回動自在であるとともに、互いに離すことも可能であるという特徴を有している。
【００５３】
そのため、本発明の加熱調理器においては、この中開蝶番８を用いて前記調理器本体２と網ベース６ａ、６ｂを回動自在に連結してもよく、それによれば、網ベース６ａ、６ｂを回動した後に取り外すことができ、調理器本体２の掃除のみならず、網ベース６ａ、６ｂの掃除も容易になる。
【００５４】
なお、図において６０４は、網ベース６ｂ側に逆Ｕ字状に形成した、ガスバーナー挿入用切り欠きである。また、図４においては、一方の網ベース６ａと調理器本体２との関係のみを示しているが、本実施例においては、前述したように、網ベース６ａ、６ｂのいずれも、調理器本体２の短い側の側壁の上部と回動自在に連結している。
【００５５】
次に、図１において９は汁受けである。即ち、本実施例の加熱調理器１では、前記調理器本体２の内部に汁受け９を備えており、この汁受け９によって、調理の過程で発生して網の下方に落下した汁等を受け止めることとしており、これにより、汁によって調理器本体２が汚れてしまい掃除が大変になることを防止している。
【００５６】
ここで、前記汁受け９について説明すると、図６は前記汁受け９の斜視図であり、本実施例において前記汁受け９は、浅い箱状の本体部９０１を有しており、この本体部９０１の下面には一対の脚部９０２が連設され、更に、本体部９０１の内部には、上方に向けて把手９０３が連設されている。
【００５７】
そして、このように構成される本実施例の汁受け９は、前記調理器本体２の内部において、前記ガスバーナー５の内周側の下方に配設される。即ち、前記汁受け９は、ガスバーナー５の内周側に配置され、更に、ガスバーナー５の位置よりも下方側に配置される。そしてこれにより、ガスバーナー５からの炎に影響を与えることなく、上方から落下してくる汁を受け止めることが可能である。
【００５８】
次に、このように構成される本実施例の加熱調理器１の作用について説明すると、本実施例の加熱調理器１を使用して食材の加熱調理を行う場合は、調理器本体２の底部に冷却用の水を蓄え、網ベース６ａ、６ｂを調理器本体２の外側に回動して開き、調理器本体２内にガスバーナー５を配設するとともにこのガスバーナー５の基端部分にガス管を連結し、更に、調理器本体２内に汁受け９を配設し、その後に、網ベース６ａ、６ｂを調理器本体２側に回動して閉じて、ガスバーナー５の上方を網ベース６ａ、６ｂによって閉鎖する。
【００５９】
またこのとき、ガスバーナー５は、調理器本体２の長手側の内側において、前記第１バーナー受け４ａにおける載置部４０３上に載置され、調理器本体２の短手側の内側において、第２バーナー受け４ｂにおける一対の挟持片４０２に挟持されるようにして配設する。
【００６０】
そしてその後に、前述の図１０に示されるような、調理具としての網等を、網ベース６の載置部６０３上に周縁部を載置することで調理器本体２上に係止し、その状態で前記ガスバーナー５に点火して、網上の食材を加熱する。
【００６１】
そして、使用後に掃除をするときには、網ベース６ａ、６ｂを調理器本体２の外側に回動して調理器本体２に対して開くことで、ガスバーナー５を容易に調理器本体２から取り出すことが可能となる。
【００６２】
即ち、網ベース６ａ、６ｂを調理器本体２側にして閉じている通常の状態では、網ベース６ａ、６ｂがガスバーナー５の上方を閉鎖しているために、ガスバーナー５を調理器本体２から取り出すことは不可能である。
【００６３】
しかし、本実施例において、網ベース６ａ、６ｂを調理器本体２の外側に回動して開くことで、網ベース６ａ、６ｂによるガスバーナー５上方の閉鎖が解除される。
【００６４】
そうすると、網ベース６ａ、６ｂにより閉鎖していたガスバーナー５の上方が解放状態になるため、この開放された空間を利用して、ガスバーナー５を取り出すことができるので、ガスバーナー５を容易に調理器本体２から取り出すことが可能となる。
【００６５】
即ち、本実施例においてガスバーナー５を取り出すときには、網ベース６ａ、６ｂを調理器本体２の外側に回動して調理器本体２に対して開き、それにより、網ベース６、６ｂによるガスバーナー５上方の閉鎖を解除した後に、ガスバーナー５の基端側を上方に持ち上げていく。そうすると、容易にガスバーナー５を調理器本体２から取り出すことが可能となる。
【００６６】
このように、本実施例の加熱調理器１では、ガスバーナーの上方を閉鎖している網ベースを調理器本体２に対して回動自在に連結し、これにより、この網ベースを回動することでガスバーナーの上方の閉鎖を解除することができるので、ガスバーナーを容易に取り出すことができ、従って、使用後の掃除が極めて容易であるとともに、掃除の際の網ベースの置き場所も不要で、網ベースを紛失することもない。
【産業上の利用可能性】
【００６７】
本発明の加熱調理器では、ガスバーナーの取り出しを容易にして、掃除を容易にしているため、ガスバーナーを備えた加熱調理器の全般に適用可能である。
【符号の説明】
【００６８】
１    卓上型加熱調理器
２    調理器本体
３    ガスバーナー挿入用切り欠き
４    バーナー受け
４０１    取付ベース
４０２    挟持片
５    ガスバーナー
６ａ、６ｂ    網ベース
６０１    脚部
６０２    上面部
６０３    載置部
６０４    ガスバーナー挿入用切り欠き
７    蝶番
８    中開蝶番
９    汁受け
９０１    本体部
９０２    脚部
９０３    把手
【図１】
2011200383.tif 000003
【図２】
2011200383.tif 000004
【図３】
2011200383.tif 000005
【図４】
2011200383.tif 000006
【図５】
2011200383.tif 000007
【図６】
2011200383.tif 000008
【図７】
2011200383.tif 000009
【図８】
2011200383.tif 000010
【図９】
2011200383.tif 000011
【図１０】
2011200383.tif 000012
【図１１】
2011200383.tif 000013